(57)【要約】【課題】  メモリと算出手段とユーザ・インタフェースとを備えた中央ユニットにより制御される複数の陽光防止および／または配光デバイスを備えた装置に対する設定方法を提供する。【解決手段】  この方法は、各陽光防止および／または配光デバイスの全てに亙り以下の各ステップを備えることを特徴とする。即ち、日光に関し、陽光防止デバイスを備えた開口の開放を定義するデータの入力および記録の段階、上記デバイスの形式を定義するデータの入力および記録の段階、ビル内への日光の所望最大貫通深度、および／または、求められる視覚的快適性を定義するデータの入力および記録の段階、から成るパラメータ設定ステップと、計算のステップであって、該ステップの間においては各デバイスに対し、該デバイスを制御すべく企図された制御アルゴリズムに対する係数および／または制御アルゴリズムが計算されるステップと、を備える。【選択図】      図１
2004225528.tif 000002
【特許請求の範囲】
【請求項１】
メモリ（２２）と算出手段（２１）とユーザ・インタフェースとを備えた中央ユニット（２）により制御される複数の陽光防止および／または配光デバイス（３）を備えた装置（１）に対する設定方法において、
該方法は以下の各ステップを備えることを特徴とする設定方法：
−  各陽光防止および／または配光デバイス（３）の全てに亙り、以下の各段階の内の少なくともひとつの段階の反復から成るパラメータ設定ステップ：
日光に関し、陽光防止デバイス（３）を備えた開口の開放を定義するデータの入力および記録、
上記陽光防止および／または配光デバイスの形式を定義するデータの入力および記録、
ビル内への日光の所望最大貫通深度、および／または、求められる視覚的快適性を定義するデータの入力および記録；および、
−  陽光防止および／または配光デバイス（３）の全てに亙る反復的計算のステップであって、該ステップの間においては各デバイスに対し、メモリ内に記録されたデータと、個々の形式の陽光防止および／または配光を特徴付けると共にメモリ内に含まれた汎用情報とに基づき、該デバイスの制御に対して企図された制御アルゴリズムに対する係数および／または制御アルゴリズムが計算されるステップ。
【請求項２】
メモリ（２２）と算出手段（２１）とユーザ・インタフェースとを備えた中央ユニット（２）により制御される複数の陽光防止および／または配光デバイス（３）を備えた装置（１）に対する設定方法において、
該方法は各陽光防止および／または配光デバイス（３）の全てに亙り以下の各ステップを備えることを特徴とする設定方法：
−  以下の各段階から成るパラメータ設定ステップ：
日光に関し、陽光防止デバイス（３）を備えた開口の開放を定義するデータの入力および記録、
上記陽光防止および／または配光デバイスの形式を定義するデータの入力および記録、
ビル内への日光の所望最大貫通深度、および／または、求められる視覚的快適性を定義するデータの入力および記録；および、
−  計算のステップであって、該ステップの間においては各デバイスに対し、メモリ内に載置されたデータと、個々の形式の陽光防止および／または配光を特徴付ける汎用情報とに基づき、該デバイスを制御すべく企図された制御アルゴリズムに対する係数および／または制御アルゴリズムが計算されるステップ。
【請求項３】
前記設定方法は、個々のデバイス間の矛盾および相互作用を管理すべく当該ステップの間において前記係数および／または制御アルゴリズムが改変されるというステップを備えることを特徴とする、請求項１または請求項２のいずれか一項に記載の設定方法。
【請求項４】
単一のデータが陽光防止および／または配光デバイスの形式を定義することを特徴とする、請求項１から請求項３までのいずれか一項に記載の設定方法。
【請求項５】
請求項１から請求項４までのいずれか一項に記載の設定方法を実施する装置（１）であって、メモリ（２２）と算出手段（２１）とユーザ・インタフェースとを備えた中央ユニット（２）により制御される複数の陽光防止および／または配光デバイス（３）を備えた装置（１）において、
上記各陽光防止および／または配光デバイス（３）の形式に関する情報はメモリ内に記憶されることを特徴とする、装置（１）。
【請求項６】
当該装置（１）は、一定の陽光防止および／または配光デバイスの係数および／または制御アルゴリズムを生成すべく、請求項１から請求項４までのいずれか一項に記載の設定方法の一個以上のステップの結果の複製を可能とする手段を備えることを特徴とする、請求項５に記載の装置（１）。
【発明の詳細な説明】
【技術分野】
【０００１】
本発明は、メモリ、算出手段（computing means）およびユーザ・インタフェースを備える中央ユニットにより制御される陽光防止および／または配光デバイス（solar protection and/or lighting device）を備えた装置に対する設定方法に関する。本発明は更に、斯かる方法を実施すべくメモリ、算出手段およびユーザ・インタフェースを備える中央ユニットにより制御される陽光防止および／または配光デバイスを備えた装置に関する。
【背景技術】
【０００２】
先行技術において、個々の形式の複数のデバイスを制御する制御装置が知られている。
【０００３】
米国特許第4,567,557号からは、ビルの設備を自動化する装置が公知である。それは中央方式で構成されると共に、各センサから到来するデータの受信に応じて異なる複数の設備（空調デバイス、警報デバイス、照明デバイス）を制御する。コンピュータとの接続により一群のユーザ挙動状況はメモリ内にプログラムかつ記憶可能であり、これにより上記装置は個々の設備に作用して制御する。
【０００４】
実用特許出願（utility certificate application）ＦＲ 2 721 767からは、個々の設備に接続された制御装置が公知である。それは制御デバイスを備えるが、その制御キーによれば、所望の様式で各設備を制御する如き様式で運転パラメータに関連して制御対象設備を選択すると共に制御命令を送信することが可能とされる。事前定義された手順全体を記憶して呼び出すことも可能である。
【０００５】
これらの２つの場合において制御対象設備の各々は特定の設定、すなわち、各設備に対して入力されたパラメータおよび操作プログラムを含んでいる。動作が類似する２つの設備もまた特定のプログラミングに委ねられることから、設定およびプログラミングが冗長となる。
【０００６】
また特許出願ＥＰ 1 054 134号からは、部分的にこの問題に対処する装置が公知である。それは実際に、ブラインド、回転式シャッタなどのビルの電動式遮断体（motorized closings）の動作を管理する方法を記述している。上記方法は、上記電動式設備を中央管理サーバに対し知的ユニットを介して接続するステップと、定期的に更新され得るデータベース内に含まれた事前登録コマンド命令、可変パラメータおよび被選択スレッショルド値に関して上記電動式設備を制御するステップとを備える。上記方法は更に、外部データサーバを介して上記データベースを更新するステップも備える。故に、同様の様式で機能する一群の設備に対する自動式中央管理方法が公知となる。しかし該特許出願ＥＰ 1 054 134号の場合、上記一群の電動式設備の管理を自動化する上でのプログラミングとパラメータの入力とを容易化する上で、各設備の機能的な類似性および相違は考慮されずもしくは殆ど考慮されない。
【０００７】
出願ＤＥ 196 15 554号からは一群の電動式遮蔽設備に対する管理方法が公知であり、その場合にはブレードの配向に関するベネチアン・ブラインド（Venetian blind）の固有の特徴が考慮される。この特定の考慮はプログラミングにおいては利点を呈するが、このことは、個々の制御対象設備の類似性および相違を考慮してこれらの設備の設定方法を簡素化すると言うよりは、例外的な管理事項である。
【発明の開示】
【発明が解決しようとする課題】
【０００８】
本発明の目的は、先行技術において公知である方法を改良し且つ上述の不都合を克服する設定方法を提案するに在る。特に本発明は、入力されるべきデータの量を減少する簡素な設定方法を提案する。本発明はまた、この方法の実施を企図する装置も提案する。
【課題を解決するための手段】
【０００９】
上記設定方法は、以下の各ステップを備えることを特徴とする：
−  各陽光防止および／または配光デバイスの全てに亙り、以下の各段階の内の少なくともひとつの段階の反復から成るパラメータ設定ステップ：
日光に関し、陽光防止デバイスを備えた開口の開放を定義するデータの入力および記録、
上記陽光防止および／または配光デバイスの形式を定義するデータの入力および記録、
ビル内への日光の所望最大貫通深度、および／または、求められる視覚的快適性を定義するデータの入力および記録；および、
−  陽光防止および／または配光デバイスの全てに亙る反復的計算のステップであって、該ステップの間においては各デバイスに対し、メモリ内に記録されたデータと、個々の形式の陽光防止および／または配光を特徴付けると共にメモリ内に含まれた汎用情報とに基づき、各デバイスの制御に対して企図された制御アルゴリズムに対する係数および／または制御アルゴリズムが計算されるステップ。
【００１０】
上記方法はまた、各陽光防止および／または配光デバイスの全てに亙り以下の各ステップを備え得る：
−  以下の各段階から成るパラメータ設定ステップ：
日光に関し、陽光防止デバイスを備えた開口の開放を定義するデータの入力および記録、
上記陽光防止および／または配光デバイスの形式を定義するデータの入力および記録、
ビル内への日光の所望最大貫通深度、および／または、求められる視覚的快適性を定義するデータの入力および記録；および、
−  計算のステップであって、該ステップの間においては各デバイスに対し、メモリ内に載置されたデータと、個々の形式の陽光防止および／または配光を特徴付ける汎用情報とに基づき、該デバイスを制御すべく企図された制御アルゴリズムに対する係数および／または制御アルゴリズムが計算されるステップ。
【００１１】
視覚的快適性を定義する上記データはたとえば、所定範囲の照度値または明度比から成り得る。
【００１２】
付加的特徴によれば、上記設定方法は、個々のデバイス間の矛盾および相互作用を管理すべく当該ステップの間において上記係数および／または制御アルゴリズムが改変されるというステップを備える。
【００１３】
好適には、単一のデータが陽光防止および／または配光デバイスの形式を定義する。
【００１４】
本発明に係る上記装置は、上記各陽光防止および／または配光デバイスの形式に関する情報はメモリ内に記憶されることを特徴とする。
【００１５】
上記装置は、一定の陽光防止および／または配光デバイスの係数および／または制御アルゴリズムを生成すべく、上記方法の一個以上のステップの結果の複製を可能とする手段を備え得る。
【００１６】
上記方法および装置によれば、陽光防止および／または配光の形式に関連するデータであってメモリ内に記憶されたデータを用い、陽光防止および／または配光に関する個々のデバイスの共通機能性およびそれらの固有特徴を考慮して、これらのデバイスを制御し得る。故に、上記中央ユニットが各デバイスに対して適合コマンドを送信するが故にビル内におけるユーザの快適さを最適様式で管理するのを許容する上で、パラメータを入力する必要は殆どない。上記メモリは更に、特に太陽の位置の関数として、個々の形式の陽光防止デバイスの汎用動作を定義する情報およびアルゴリズムを含む。一般原則に基づく算出アルゴリズムも在ることから、たとえば、日付および時間の関数として太陽の位置を計算し得る。
【００１７】
上記中央ユニットは算出手段を備えることから、上記各陽光防止デバイスの制御に対して企図されたアルゴリズムおよび／または命令の値を生成し得る。
【００１８】
（基本的にユーザにより入力された）種々の固定パラメータ、（基本的にセンサおよび／またはクロックにより与えられた）変数、および、メモリ内に含まれた情報に従い、上記中央ユニットは使用される個々のデバイスに対し、（たとえば位置、配向、強度などの）ユーザの快適さを最適化するために有用な動作値を自動的に計算する。
【００１９】
陽光防止デバイスには幾つかの形式が在る。これらの個々の形式は、開口を介してビル内に日光が直接的に進入するのを促進もしくは制限する共通的な一般機能を有する。但し、それらは異なる様式で機能する。
【００２０】
たとえばベネチアン・ブラインドは各ブレードの位置および配向に関する判定基準を組み合わせる一方、スクリーン・ブラインドは位置の判定基準と可能的には不透明度の判定基準とを備える。またオーニング・ブラインド（awning blind）に対しては、展開の角度が光防止の特徴を決定する。
【００２１】
各陽光防止デバイスの形式に関する種々の値はメモリ内に記憶され、それらは其処から、上記装置の算出手段により使用され得る。上記メモリ内に含まれたデータは、動作モードに対し、挙動規範に対し、または、命令のテーブルに対して関連付けられ得る。
【００２２】
同様に、配光デバイスに関する種々の値がメモリ内に記憶され得る。
【００２３】
上記各デバイスの制御を改善すべく、（開口の開放[exposure]、日光の所望最大貫通深度の定義と、陽光防止デバイスの形式の定義とを可能とする以外の）パラメータが提供され得る。
【００２４】
上記固定パラメータの関数として上記中央ユニットは各デバイスに特有の動作アルゴリズムを生成することから、個々のデバイスの管理が自動的に確実とされる。
【００２５】
更に、これらの特有アルゴリズムの関数として上記中央ユニットは各デバイス間の相互作用を管理し得ると共に、ビルの同一部屋または同一開口を調整する幾つかのプログラム用デバイスの場合においてさえもその様にし得る。
【００２６】
上記動作アルゴリズムは、たとえば、
上記固定パラメータおよび可変パラメータの記憶内容（image）を戻す関数、
事前定義された値のテーブル、
ファジー論理テーブル、
などの幾つかの形態を取り得る。
【００２７】
上記装置は、所定形式のデバイスに特有の制御命令を自動的に生成すべく個々の判定基準を統合する。
【００２８】
好適には上記装置は、同等の様式で開放される幾つかの同一のデバイスが制御される場合に動作アルゴリズムを複製する手段を備える。該手段によれば、たとえばこれらのデバイスに対する固定パラメータの全ての反復が許容され得る。
【００２９】
個々の装置は、バス・ラインにより並列接続され得る。この場合、ひとつの装置から他の装置へと複製する手段も配備され得る。
【００３０】
斯かる装置の最終目的は、ユーザに対する快適な環境を生成すると共に、エネルギ消費を制限すべくエネルギを管理することである。
【００３１】
添付図面は例示的に、本発明に係る設定方法の実施例および本発明に係る装置の実施例を示している。
【発明を実施するための最良の形態】
【００３２】
図１に示された装置は、ビルの開口を調整する各電動式陽光防止デバイス３を制御する中央制御ユニット２を備える。それらはまた、斯かる開口を備えたビルの部屋に対する配光デバイスでもあり得る。上記中央ユニットは、可能的にはネットワークであるバス・ラインにより他の同様の中央制御ユニットに対して接続され得る。
【００３３】
中央制御ユニット２は、直接的に、または、コンピュータなどのプログラム用デバイス４を介して設定され得る。第１の場合において上記制御システムは、画面と、上記装置の動作に必要なデータが入力されるキーボード形式のインタフェースとを有する。
【００３４】
中央制御ユニット２は、マイクロプロセッサなどの算出手段２１、および、メモリ２２を備える。
【００３５】
上記装置は一方において、初期化段階の間に固定パラメータを受信する。これらの固定パラメータは、少なくとも、ビルの改造の間に上記陽光防止および／または配光デバイスの特性が改変されるまでは不変的である。それらはたとえば、陽光防止デバイスを備えたビルの各開口の開放と、ビル内で使用される個々の形式の陽光防止デバイスとを定義する情報から成る。この情報は、メモリ内に記録される。
【００３６】
他方、上記装置は初期化段階の後で可変パラメータを受信する。これらの可変パラメータは、クロックにより供給される時間に関する情報と、種々のセンサから到来する風、温度および照度（illumination）に関する気象データとから成り、且つ、経時的に変化するビルの内部および外部環境の定義を可能とする。
【００３７】
上記メモリは、一方では個々の形式の電動式陽光防止および／または配光デバイスの技術的動作特性に関する情報を含み、他方ではたとえば経年的な太陽の運動の傾向、ビルのエネルギ管理、および、ビルの業務の管理などの汎用情報を含む。この情報の全てもしくは一定部分は、上記中央制御ユニットをビルに設置する前にたとえば該中央制御ユニットの製造業者により上記メモリ内に記憶され得る。
【００３８】
このメモリは、独立したプログラム用デバイス４の一部を形成することも可能である。その場合にそれは、制御装置アセンブリと共通ともされ得る。
【００３９】
上記メモリ内に含まれた情報は、上記装置の該メモリに入力された固定パラメータの関数として、各制御デバイスに対する特定の動作アルゴリズムを、または少なくとも、同一アルゴリズムにより使用され得る特定係数であって各制御デバイスに対する特定係数を提供すべく上記算出手段により用いられる。
【００４０】
たとえば、インデックスｉは複数の陽光防止および／または配光デバイスの内のひとつのデバイスを意味する。
【００４１】
パラメータ設定段階の間においては以下の固定パラメータが入力して記録される：
Ｆｉ：もし上記デバイスが陽光防止デバイスであれば、該デバイスを備えた開口の開放に関するパラメータ；
Ｄ１ｉ：上記デバイスに関するパラメータ；
Ｌｉ：上記デバイスにより覆われる領域における視覚的快適性の選択に関するパラメータ。
以下の情報は、メモリから読み取られる：
Ｄ２ｉ：上記デバイスに関する他の各パラメータ。
【００４２】
上記可変パラメータは、時間Ｔと、正面照度Ｅにより測定された外部太陽光と、であると仮定される。
【００４３】
第１の場合において上記中央ユニットは、存在する個々の製品と同数の、または、個々の条件に委ねられる各製品と同数のアルゴリズムＡｉを生成する算出手段を備え；故に、或るデバイスの制御法則はＡｉ（Ｔ，Ｅ）により表現され、この場合にアルゴリズムＡｉ自体はＦｉ、Ｄ１ｉ、Ｄ２ｉおよびＬｉに依存する。
【００４４】
第２の場合において上記中央ユニットは、存在する個々の製品と同数の、または、個々の条件に委ねられる各製品と同数の群の係数Ｃｉを生成する算出手段を備える。これらの係数は同一アルゴリズムにより使用され：故に、デバイスの制御法則はＡｉ（Ｃｉ，Ｔ，Ｅ）により表現され、この場合に各係数ＣｉはＦｉ、Ｄ１ｉ、Ｄ２ｉ、Ｌｉに依存する。
【００４５】
上記中央ユニットはまた各陽光防止および／または配光デバイス間の相互作用も管理し：故に、各デバイスに対して特有であるアルゴリズムはこの管理を考慮する。
【００４６】
その場合に各陽光防止および／または配光デバイスの制御命令は、アルゴリズムおよび／または動作命令値および可変パラメータに基づき生成される。
【００４７】
陽光防止デバイスを作動させる手動入力命令（non-automatic instruction）は可能的に、上記中央ユニットにより提供される命令に置き換わり、または、該命令を一時的に無効化し得る。
【００４８】
図２に概略的に示されたパラメータ設定段階と称される第１段階においてユーザもしくは設置者は、制御される各陽光防止および／または配光デバイスに特有の固定パラメータを入力する。次に上記該当者は、初期化モードに入らねばならない。次に上記該当者は、制御出力を選択すると共に、その出力により制御される陽光防止デバイスに対応する固定パラメータ値を入力せねばならない。これらのパラメータは、上記装置のメモリ内に記憶される。これらのステップは、デバイスを制御する出力の全てに関して反復されねばならない。尚、上記中央ユニットの制御出力の全てがデバイスに接続されることは必須ではない。これらの固定パラメータは、たとえば且つ上記から理解される如く、上記デバイスにより調整される開口の開放を定義する値と、陽光防止の形式を定義する値とから成る。陽光防止および／または配光デバイスの形式を定義する固定パラメータは、たとえば上記中央ユニットと制御デバイスの各々との間における初期通信の間において自動的にメモリ内に記憶され得る。
【００４９】
図３に概略的に示されて初期化／算出段階と称される第２段階において算出手段２１は、各陽光防止デバイスに対する動作アルゴリズム、および／または、斯かるアルゴリズムに対する係数を決定すべく、メモリ内に記憶された固定パラメータと、同様にメモリ内に記憶された汎用情報との両方を用いる。ユーザは、算出モードへと進まねばならない。ユーザはまた、上記中央ユニットの制御出力を選択せねばならない。次に上記算出手段は、選択された制御出力により制御される陽光防止デバイスに関する固定パラメータを読み取る。次に上記算出手段は、選択された制御出力に接続されたデバイスの動作アルゴリズム、および／または、動作アルゴリズムに対する係数を生成すべく、メモリ内に記憶された上記汎用情報を上記固定パラメータと組み合わせて使用する。これらの個々のステップは、陽光防止デバイスを制御する上記中央ユニットの出力の全てに関しても自動的に反復される。各デバイスに対して個別にアルゴリズムが確立されたなら、上記中央ユニットは、これらのアルゴリズムにより誘起された動作が矛盾を引き起こす可能性がないことをチェックする。もしそうであれば、それは矛盾および相互作用を管理すべく、対応アルゴリズムを改変する。
【００５０】
この段階が完了されたなら、上記装置は設定されて動作可能である。
【００５１】
定期的にかつ自動的に、上記装置は図４に示された動作モードへと切換わる。各陽光防止および／または配光デバイスの動作を統御する制御命令を生成すべく、各センサとクロックとから到来する可変パラメータが読み取られて上記動作アルゴリズムと統合される。制御出力が自動的に選択されると共に、選択された制御出力により制御される陽光防止および／または配光デバイスに対する制御命令を生成すべく上記可変パラメータは動作アルゴリズムに統合されてから、上記命令はそのデバイスへと送信される。これらのステップは、陽光防止および／または配光デバイスを制御する出力の全てに関して反復される。
【図面の簡単な説明】
【００５２】
【図１】図１は、本発明に係る装置のブロック図である。
【図２】図２は、本発明に係る装置の設定方法の第１段階を示すフローチャートである。
【図３】図３は、本発明に係る装置の設定方法の第２段階を示すフローチャートである。
【図４】図４は、本発明に係る装置の動作モードを示すフローチャートである。
【符号の説明】
【００５３】
２…中央制御ユニット
２１…算出手段
２２…メモリ
３…電動式陽光防止デバイス
４…プログラム用デバイス
【図１】
2004225528.tif 000003
【図２】
2004225528.tif 000004
【図３】
2004225528.tif 000005
【図４】
2004225528.tif 000006